【事件の表示】
　特願２００１−１６４０２６「ボールペンまたは塗布具のチップ」拒絶査定不服審判事件〔平成１４年１２月１０日出願公開、特開２００２−３５６０８４〕について、次のとおり審決する。
【結　論】
　本件審判の請求は、成り立たない。
【理　由】
第１　手続の経緯
　本願は、平成１３年５月３１日の出願であって、平成２１年８月２１日に手続補正がなされ、平成２２年１２月１６日付けで拒絶査定がなされ、平成２３年４月１８日に拒絶査定不服審判の請求がなされ、当審において、同年６月２１日付けで拒絶の理由（以下「当審拒絶理由」という。）の通知がなされ、同年９月１２日に意見書の提出がなされたものである。
　
第２　本願発明
　本願の請求項１及び２に係る発明は、平成２１年８月２１日の手続補正により補正された明細書及び図面の記載からみて、明細書の特許請求の範囲の請求項１及び２にそれぞれ記載された事項によって特定されるものと認められるところ、請求項１に係る発明（以下「本願発明」という。）は、次のとおりのものである。
　
「ボールを有し、このボールを、チップの先端部をボールの方へ倒し込む
ことにより形成される全周かしめ部の最先端小口部分と小口内縁部とにより外方への抜け止めを施して抱持し、かつ、前記全周かしめ部の最先端小口部分の幅を０．００５〜０．０３ｍｍとするとともに、最先端小口部分に連続するかしめの部分を半径０．０３〜０．２０ｍｍのＲ形状の曲面としたことを特徴とするボールペンまたは塗布具のチップ。」
　
第３　引用刊行物及び引用発明
　当審拒絶理由に引用された、本願の出願前に頒布された刊行物である特開平７−６８９８９号公報（以下「引用例」という。）には、次の事項が図とともに記載されている（下線は審決で付した。）。
　
１　「【０００２】
【従来の技術】従来、真ちゅう、洋白、ステンレス、銅合金、アルミニウム合金などの金属製ボ−ルペンチップのボ−ルを抱持するために、ボ−ルペンチップの中心孔及びボ−ル室などの内部を形成した後、ボ−ル室にボ−ルを挿入し、先端小口部を内側にかしめることにより前記ボ−ルを抱持してなるボ−ルペンチップが知られている。
このボ−ルを抱持するための先端小口部に形成されたかしめ部は筆跡の状態や紙面とのひっかかり感などのボ−ルペンの筆記品質に大きく影響する
　
２　「【０００７】
【実施例】図２は、本発明の
ボ−ルペンチップの製造方法
ボ−ルペンチップＡの側壁１のテ−パ、ボ−ルを収容するボ−ル室２、インキをボ−ル室２に連通するインキ連通溝３及び中心孔４を形成した後、ボ−ル室２にボ−ル５を挿入する。次いで、このボ−ル５を抱持するため、ボ−ルペンチップＡの小口部６のかしめ部７を形成するかしめ加工を施す
【０００８】
かしめ装置のボ−ルペンチップＡに当接する圧接部８はボ−ルペンチップＡの小口部６に近い第１かしめ部７ａを形成する第１圧接面８ａと、
第１圧接部と連続して形成されている第２圧接面８ｂを有している
【０００９】このように、
かしめ装置の圧接部８の圧接面をボ−ル５に当接するようにしてかしめ加工を行う
【００１０】また、第１かしめ部７ａと第２かしめ部７ｂとを連続した圧接面にて形成するため、角度の異なるかしめ部の境界部分に偏肉部９が形成されることはない。」
　
３　「【００１６】図３に他の実施例について示す。
基本的に図２に示した例と同様であるが、第１かしめ部７ａを曲面とする点が異なっている
第１かしめ部７ａをボ−ル５の直径に対して５％〜３０％の長さの半径による曲面としている。こうすることによって、筆記する際のボ−ルペンチップと被筆記面との接触を滑らかにするものである
【００１７】ここで、図に示すように圧接面のかしめ角度は、第２圧接面８ｂのかしめ角度をβとし、ボ−ルペンチップＡのかしめ部７以外の側壁１のテ−パ角度をγとした時、γ＋１０°≦β≦γ＋３０°の関係になるように設定されていることが好ましい。また、上述の他にも本発明の要旨を逸脱しない限りで種々なせるものである。一例を挙げると、加工具にかかる負担をできるだき少なくするために、かしめ加工の前にあらかじめ多少の縮径加工などを施すこともできるし、第１圧接面８ａだけでなく第２圧接面８ｂをも曲面とすることもできる。また、ボ−ルペンチップとして、金属製のパイプ材に押圧加工を施すことにより、インキ連通溝３及び中心孔４を形成してなる、所謂パイプ式ボ−ルペンであってもよい。
【００１８】上述した第１かしめ部７ａを曲面としたものの筆跡の中抜け現象の発生回数を調べた。（試験３）得られた結果を表３、表４に示す。
【００１９】
【表３】
［１］（審決注：前記［］は丸付き数字を意味する。以下同じ。）；曲面の半径（ｍｍ）
［２］；ボ−ル直径に対する曲面の半径の割合（％）
＝曲面の半径（ｍｍ）×１００／ボ−ルの直径（ｍｍ）
［３］；一度の工程
［４］；二度の工程
試験条件
筆記角度：７０度
垂直筆記荷重：２００ｇ
筆記距離：２００ｍ
使用試験機：螺旋筆記試験機（Ｓｅｉｋｉ  ＫＯＧＹＯ  ＬＡＢ製）
使用試験紙：ＮＳ５５記録用紙（（株）九菱科学機械製作所製）
使用筆記具：ＢＫ１００（油性ボ−ルペン、ぺんてる（株）製）
チップ材質：フェライト系ステンレス
チップ寸法：
ボ−ル径０．７ｍｍ
【００２０】
【表４】
［１］；曲面の半径（ｍｍ）
［２］；ボ−ル直径に対する曲面の半径の割合（％）
＝曲面の半径（ｍｍ）×１００／ボ−ルの直径（ｍｍ）
［３］；一度の工程
［４］；二度の工程
試験条件
筆記角度：７０度
垂直筆記荷重：２００ｇ
筆記距離：２００ｍ
使用試験機：螺旋筆記試験機（Ｓｅｉｋｉ  ＫＯＧＹＯ  ＬＡＢ製）
使用試験紙：ＮＳ５５記録用紙（（株）九菱科学機械製作所製）
使用筆記具：ＢＫ１００（油性ボ−ルペン、ぺんてる（株）製）
チップ材質：フェライト系ステンレス
チップ寸法：
ボ−ル径０．７ｍｍ
　
４　上記２及び３から、引用例には、次の発明（以下「引用発明」という。）が記載されていると認められる。
　
「側壁のテーパ、ボールを収容するボール室、インキをボール室に連通するインキ連通溝及び中心孔を形成した後、ボール室にボールを挿入し、次いで、このボールを抱持するため、小口部のかしめ部を形成するかしめ加工を施してなるボールペンチップであって、
　前記かしめ加工は、前記小口部に近い第１かしめ部を形成する第１圧接面と、該第１圧接部と連続して形成されている第２圧接面を有しているかしめ装置により行うものであり、
　前記第１かしめ部を０．０５ｍｍ、０．１０ｍｍ又は０．２０ｍｍの半径による曲面とすることによって、筆記する際のボールペンチップと被筆記面との接触を滑らかにするものであり、
　前記ボールの直径は０．７ｍｍである、
　ボールペンチップ。」
　
第４　対比
　本願発明と引用発明とを対比する。
１　引用発明の「小口部」、「小口部に近い第１かしめ部」及び「ボールペンチップ」は、それぞれ、本願発明の「最先端小口部分」、「最先端小口部分に連続するかしめの部分」及び「ボールペンまたは塗布具のチップ」に相当する。 
 　 
２　引用発明において、「ボールペンまたは塗布具のチップ（ボールペンチップ）」は、側壁のテーパ、ボールを収容するボール室、インキをボール室に連通するインキ連通溝及び中心孔を形成した後、ボール室にボールを挿入し、次いで、このボールを抱持するため、小口部のかしめ部を形成するかしめ加工を施してなるものであって、前記かしめ加工は、「最先端小口部分に連続するかしめの部分（小口部に近い第１かしめ部）」を形成する第１圧接面と、該第１圧接部と連続して形成されている第２圧接面を有しているかしめ装置により行うものであり、前記「最先端小口部分に連続するかしめの部分」を０．０５ｍｍ、０．１０ｍｍ又は０．２０ｍｍの半径による曲面とすることによって、筆記する際のボールペンチップと被筆記面との接触を滑らかにするものであるから、引用発明の「ボールペンまたは塗布具のチップ」と本願発明の「『ボールを有し、このボールを、チップの先端部をボールの方へ倒し込むことにより形成される全周かしめ部の最先端小口部分と小口内縁部とにより外方への抜け止めを施して抱持し、かつ、前記全周かしめ部の最先端小口部分の幅を０．００５〜０．０３ｍｍとするとともに、最先端小口部分に連続するかしめの部分を半径０．０３〜０．２０ｍｍのＲ形状の曲面とし』た『ボールペンまたは塗布具のチップ』」とは、「ボールを有し、このボールを、チップの先端部をボールの方へ倒し込むことにより形成される全周かしめ部の最先端小口部分と小口内縁部とにより外方への抜け止めを施して抱持し、かつ、最先端小口部分に連続するかしめの部分を半径０．０３〜０．２０ｍｍのＲ形状の曲面とした」ものである点で一致する。 
 　 
３　上記１及び２から、本願発明と引用発明とは、 
「ボールを有し、このボールを、チップの先端部をボールの方へ倒し込むことにより形成される全周かしめ部の最先端小口部分と小口内縁部とにより外方への抜け止めを施して抱持し、最先端小口部分に連続するかしめの部分を半径０．０３〜０．２０ｍｍのＲ形状の曲面とした、ボールペンまたは塗布具のチップ。」 
である点で一致し、次の点で相違する。 
 　 
相違点： 
　前記最先端小口部分の幅が、本願発明では、「０．００５〜０．０３ｍｍ」であるのに対して、引用発明では、明らかでない点。 
 　 
第５　判断
　上記相違点について検討する。
１　ボールペンチップの最先端小口部分の幅については、小さすぎると該最先端小口部分の強度が不足し、大きすぎると紙面とのひっかかり感が強くなってしまうことは、当業者に自明であり、また引用例には、「このボ−ルを抱持するための先端小口部に形成されたかしめ部は筆跡の状態や紙面とのひっかかり感などのボ−ルペンの筆記品質に大きく影響する。」（上記第３の１参照。）との事項が記載されているから、前記幅の具体的な値は、当業者が、最先端小口部分の強度、紙面とのひっかかり感等を考慮して、実験等により適宜決定すべき設計事項というべきものである。 
 　 
２　上記１から、引用発明において、最先端小口部分の幅を「０．００５〜０．０３ｍｍ」とし、上記相違点に係る本願発明の構成となすことは、当業者が適宜なし得た設計上のことである。 
 　 
３　効果について 
　本願発明の奏する効果は、当業者が、引用発明の奏する効果から予測できた程度のものである。 
 　 
４　まとめ 
　したがって、本願発明は、当業者が、引用例に記載された発明に基づいて容易に発明をすることができたものである。 
 　 
第６　むすび
　以上のとおり、本願発明は、当業者が、引用例に記載された発明に基づいて容易に発明をすることができたものであるから、特許法第２９条第２項の規定により特許を受けることができない。
　よって、結論のとおり審決する。